(57)【特許請求の範囲】
【請求項１】
可撓性を有するインク収納袋と、該インク収納袋にそれぞれ取り付けられたインク供給用スパウトおよび攪拌部材と、前記インク収納袋を収納したタンクケースと、を備えており、該攪拌部材は、前記インク収納袋の内部に配されインクを攪拌する攪拌部と、該攪拌部と接続され前記インク収納袋の外部に位置した、該攪拌部を操作するための被操作部とを有するインクタンクにおいて、
前記スパウトと前記被操作部とが共に前記タンクケースの一方の側に配置されており、前記スパウトが前記タンクケースと固定され、前記タンクケースの前記一方の側とは反対の他方の側に向かって前記インク収納袋が延在し、前記インク収納袋は前記タンクケースに固定されずに自由端を備えていることを特徴とするインクタンク。
【請求項２】
前記タンクケースは偏平な平行六面体に形成されており、前記インク収納袋は可撓性を有するフィルムで矩形状の袋にしたものであり、前記スパウトおよび前記攪拌部材は、前記インク収納袋の同じ辺縁に溶着されており、該攪拌部材の溶着部は該スパウトの溶着部から該辺縁に沿った方向にずれた位置にあることを特徴とする請求項１に記載のインクタンク。
【請求項３】
前記インク収納袋は顔料インクを収納しており、前記攪拌部材の溶着部が前記スパウトの溶着部より下方に位置する姿勢で使用されることを特徴とする請求項２に記載のインクタンク。
【請求項４】
可撓性を有するインク収納袋と、該インク収納袋にそれぞれ取り付けられたインク供給用スパウトおよび攪拌部材と、前記インク収納袋を収納したタンクケースと、を備えており、該攪拌部材は、前記インク収納袋の内部に配されインクを攪拌する攪拌部と、該攪拌部と接続され前記インク収納袋の外部に位置した、該攪拌部を操作するための被操作部とを有するインクタンクと、
記録シートに対してインク滴を吐出して画像を記録する記録ヘッドと、
前記インクタンクを着脱自在に装着するインクタンク装着部であって、装着された前記インクタンクの前記スパウトを介して前記記録ヘッドへインクを供給するインク供給手段と、前記攪拌部材の前記被操作部と係合して前記攪拌部材の前記攪拌部を駆動する攪拌部材駆動機構とを装備したインクタンク装着部と、
を備えたプリンタであって、
前記インクタンク装着部に装着された姿勢で前記インクタンク装着部の奥に位置する前記インクタンクの一方の側に前記スパウトと前記被操作部とが配置されており、前記スパウトが前記タンクケースと固定され、前記タンクケースの前記一方の側とは反対の他方の側に向かって前記インク収納袋が延在し、前記インク収納袋は前記タンクケースと固定されずに自由端を備えており、
前記インク供給手段および前記攪拌部材駆動機構は、前記タンクケースの前記一方の側に対応するように前記インクタンク装着部の奥に配置されていることを特徴とするプリンタ。
【請求項５】
前記タンクケースは偏平な平行六面体に形成されており、前記インク収納袋は可撓性を有するフィルムで矩形状の袋にしたものであり、
前記スパウトおよび前記攪拌部材は、前記タンクケースの前記一方の側に対応する前記インク収納袋の同じ辺縁に溶着されており、該攪拌部材の溶着部は該スパウトの溶着部から該辺縁に沿った方向にずれた位置にあり、
前記インク収納袋は顔料インクを収納しており、前記インクタンクが前記インクタンク装着部に装着された姿勢では、前記攪拌部材の溶着部が前記スパウトの溶着部より下方に位置することを特徴とする請求項４に記載のプリンタ。
【請求項６】
前記攪拌部材駆動機構によって動作した前記攪拌部材がインクを攪拌する際、前記インク収納袋の自由端が揺動することを特徴とする請求項４または５に記載のプリンタ。
【請求項７】
可撓性を有するインク収納袋と、
前記インク収納袋を収納した筐体と、
前記インク収納袋に取り付けられたインク供給用スパウトと、
前記インク収納袋の内部に配されインクを撹拌する撹拌部と、前記撹拌部と接続され前記インク収納袋の外部に配され前記撹拌部を操作するための被操作部とを具備し、前記インク収納袋に取り付けられた撹拌部材と、
を有するインクタンクにおいて、
前記インク供給用スパウトと前記被操作部とが前記筺体の同じ面側に配されており、
前記撹拌部によるインクの撹拌に伴って前記インク収納袋が揺動可能であることを特徴とするインクタンク。
【請求項８】
前記インク供給用スパウトは、前記筺体に固定されており、
前記インク収納袋は、前記インク供給用スパウトを介して前記筺体に固定されていることを特徴とする請求項７に記載のインクタンク。
【請求項９】
前記インク収納袋の同じ辺縁の、前記辺縁に沿う方向において離れた位置に、前記インク供給用スパウトと前記撹拌部材とが取り付けられていることを特徴とする請求項７または８に記載のインクタンク。
【請求項１０】
前記インク収納袋は、前記インク供給用スパウトを介して前記辺縁の側のみが前記筺体に固定されていることを特徴とする請求項９に記載のインクタンク。
【請求項１１】
前記インクタンクの使用状態において、前記撹拌部材は、前記インク供給用スパウトよりも下方の位置において前記辺縁に取り付けられていることを特徴とする請求項９に記載のインクタンク。
【発明の詳細な説明】
【技術分野】
【０００１】
本発明は、色材等の粒子が沈降しやすいインク（例えば顔料インク）を収納するインクタンクに関し、特にインク攪拌手段を備えたインクタンクおよび、これを搭載可能なプリンタに関する。
【背景技術】
【０００２】
従来、インクジェットプリンタに用いられるインクには、色材に染料を用いた染料インクと、色材に顔料を用いた顔料インクがある。
【０００３】
顔料インクは、これを用いた印刷物が優れた耐候性や耐水性を有する一方で、顔料の粒子がインク中で沈降し、新品での使用開始時や、比較的長期間使用しなかった場合に、インクタンク上部で顔料濃度が薄く、インクタンク下部で顔料濃度が濃くなってしまい、印刷時に濃度むらが発生するという現象があり、改善すべき課題となっている。
【０００４】
その対策として、封筒形のインク収納袋に対して一つの辺縁にインク供給部を配置し、該一つの辺縁と反対側の辺縁に外部動力で動作するように攪拌体が配置され、攪拌体を操作するための被操作部がインク収納袋の外部に延出しているインクタンクが特許文献１で提案されている。被操作部を操作することで、攪拌体とインク収納袋の辺縁との接合部分を支点にして、インク収納袋内に挿入されている攪拌体を揺動させて顔料インクを攪拌する。
【先行技術文献】
【特許文献】
【０００５】
【特許文献１】特開2005-66520号公報
【発明の概要】
【発明が解決しようとする課題】
【０００６】
特許文献１に開示される構成では、インク収納袋の、攪拌体の側とは反対の側の辺縁に配置されたインク供給部がタンク筐体に取り付けられているため、インク供給部側のインク収納袋の動きが規制される。特にインク収納袋内のインク量が少なくなりインク収納袋が偏平に潰れた場合、攪拌体のインク収納袋内における動作を阻害し、攪拌効果が低下する。
【０００７】
また、インク供給部としてのスパウト（口栓）と攪拌体とを互いに反対の辺縁に備えたインク収納袋を製造する場合、筒状フィルムの一方の開口部にスパウトを取付け、もう一方の開口部に攪拌体を取り付ける必要がある。このため、スパウトと攪拌体の取り付けが互いに反対位置での作業となって取り付け工程が複雑化するとともに、取り付けによるシワの発生の可能性が増しインクリークなどの弊害を生じる可能性が増す。
【０００８】
加えて、一般に、インク供給部はタンクの装着動作の奥側に配置されるため、攪拌体を動作させるための攪拌機構が装着手前に配置されることになり、プリンタ構成が複雑で大掛かりなものになる。
【０００９】
本発明は、上述した背景技術の課題を解消するためになされたものであり、その目的の一例は、インク収納袋内のインクが少なくなってもインクの攪拌効果を低下させないことや、タンク製造時の煩雑さおよび弊害を軽減することや、プリンタの構成の小型化を可能にすること、などである。
【課題を解決するための手段】
【００１０】
本発明の一の態様は、可撓性を有するインク収納袋と、インク収納袋にそれぞれ取り付けられたインク供給用スパウトおよび攪拌部材と、インク収納袋を収納したタンクケースと、を備えており、攪拌部材は、インク収納袋の内部に配されインクを攪拌する攪拌部と、攪拌部と接続されインク収納袋の外部に位置した、攪拌部を操作するための被操作部とを有するインクタンクに係るものである。
【００１１】
この態様は、上記インクタンクにおいて、スパウトと攪拌部材の被操作部とが共にタンクケースの一方の側に配置されており、スパウトがタンクケースと固定され、タンクケースの前記一方の側とは反対の他方の側に向かってインク収納袋は延在し、タンクケースに固定されずに自由端を備えていることを特徴とする。
【００１２】
また本発明の他の態様は、上記の態様のインクタンクと、
記録シートに対してインク滴を吐出して画像を記録する記録ヘッドと、
インクタンクを着脱自在に装着するインクタンク装着部であり、装着されたインクタンクのスパウトを介して記録ヘッドへインクを供給するインク供給手段と、攪拌部材の被操作部と係合して攪拌部材の攪拌部を駆動する攪拌部材駆動機構とを装備したインクタンク装着部と、を備えたプリンタに係るものである。
【００１３】
この態様は、上記プリンタにおいて、インクタンク装着部に装着された姿勢でインクタンク装着部の奥に位置するインクタンクの一方の側にスパウトと攪拌部材の被操作部とが配置されており、スパウトがタンクケースと固定され、タンクケースの前記一方の側とは反対の他方の側に向かってインク収納袋は延在し、タンクケースに固定されずに自由端を備えており、
インク供給手段および攪拌部材駆動機構は、タンクケースの前記一方の側に対応するようにインクタンク装着部の奥に配置されていることを特徴とする。
【発明の効果】
【００１４】
本発明によれば、インク収納袋内のインクが少なくなってもインクの攪拌効果を低下させないことや、インクタンク製造時の煩雑さおよび弊害を軽減することや、プリンタの構成を小型化すること等ができる。
【図面の簡単な説明】
【００１５】
【図１】本発明の実施形態によるインクタンクの構成を説明するための分解模式図。
【図２】本発明の実施形態によるインクタンクの使用開始時の状態で示した断面模式図。
【図３】図２（ｃ）に示した断面図で見て、攪拌部材を動作させたときの様子を順に示した図。
【図４】図３（ｃ）示した攪拌部材の状態であって攪拌されるインクの流れを示した図。
【図５】満タン状態の１／２のインクが消費されたインクタンクを示す模式図。
【図６】図５（ｃ）に示した断面図で見て、攪拌部材を動作させたときの様子を順に示した図。
【図７】図６の状態からさらにインクが消費されたインクタンクを示す模式図。
【図８】本発明に係るインクタンクの他の好ましい構成例を示す模式図。
【図９】本発明に係るインクタンクの他の好ましい構成例を示す模式図。
【図１０】本発明に係るインクタンクを適用するプリンタの構成を示す模式図。
【図１１】図１０に示した攪拌部材駆動機構の構成を説明するための分解斜視図。
【図１２】図１０に示した攪拌部材駆動機構の動作を説明するための模式図である。
【発明を実施するための形態】
【００１６】
以下、本発明の実施の形態について、添付図面を参照して説明する。ここでは、可撓性袋とこれを囲む剛体ケースとを備えた液体収納容器として、可撓性袋内に顔料インクを収納するインクタンクを例に挙げるが、収納する液体としては顔料インクに限定されず、沈降しやすい物性を含んだ液体であれば何でも使用可能である。
【００１７】
図１は本実施形態によるインクタンクの構成を説明するための分解模式図である。図２は本実施形態によるインクタンクの使用開始時の状態を示した模式図であって、特に図（ａ）はプリンタのインクタンク装着部にインクタンクが装着された姿勢でインクタンクを横側から見たときの断面を図示してある。具体的には図２（ａ）はインク供給部を通り且つインクタンクの最大面積の側面に略平行な断面を示し、（ｂ）は攪拌部を通り且つインクタンクのインク供給口が設けられた側面に略平行な断面を示し、（ｃ）は攪拌部を通り且つタンク筐体の底面に略平行な断面を示している。
【００１８】
図１および図２に示されるように、本実施形態のインクタンク１は、長期間静置された場合に沈降しやすい顔料インクのようなインク２を収納するインク収納袋３と、インク収納袋３に取付けられたインク供給用スパウト４および攪拌部材５と、スパウト４を固定するとともにインク収納袋３を収納するタンクケース６とを備えている。
【００１９】
本説明ではインク収納袋３にスパウト４および攪拌部材５を取り付けた形態をインク収納袋ユニット７と呼ぶこととする。なお、スパウト４および攪拌部材５の両方が、図２（ａ）に示したインクタンク１のプリンタ装着姿勢においてインク収納袋３の両横の辺縁のうちの一方に取り付けられている。該インクタンクのプリンタ装着姿勢において、スパウト４はインク収納袋３の横側の辺縁の中央部に位置し、攪拌部材５はスパウト４より下方に位置している。
【００２０】
インク収納袋３は、可撓性を有するフィルム材で構成される。これを作製するには、まず、２枚の矩形状のフィルムを重ね合わせて、その３辺の縁同士を熱溶着することによりフィルムを封筒形の袋にする。勿論、これ以外の方法で封筒形のフィルム袋を作製してもよい。次に、溶着していない残り１辺における開口にスパウト４および攪拌部材５を差込み、該残りの一辺のフィルム縁同士を熱溶着してインク収納袋ユニット７を形成する。
【００２１】
インク収納袋３を構成するフィルム材は、ポリエチレンテレフタレート層（最外層）／接着層／アルミニウム合金層／接着層／ナイロン層／接着層／ポリプロピレン層（最内層）を順に積層して構成されている。
【００２２】
該アルミニウム合金層によって、気体がインク収納袋３の内部に透過するのを遮断するとともに、インクの蒸発を防止することができる。さらに、該ナイロン層によって、折り曲げや擦れによるフィルムの穴空きに対する優れた耐性が持つことができる。インク収納袋３の内面層がポリプロピレンを主成分とする材料で構成されているので、耐インク性にも優れている。
【００２３】
スパウト４は、インク２を外部に供給するインク供給口４１をインク収納袋ユニット７に設けるための部材であり、スパウト４に設けられたインク供給口４１には、シール部材４２と弁４３とバネ４４とが組み込まれている。
【００２４】
弁４３は、バネ４４によりシール部材４２へ付勢するように配置されており、シール部材４２は抜け止めのためのキャップ４５によりスパウト４に組み付けられている。
【００２５】
シール部材４２は中心が開口した環状の構造であり、その開口は弁４３の当接によりふさがれる。さらに、シール部材４２の外周をスパウト４の内周に密着させることでシール部材４２とスパウト４との気密性を確保している。
【００２６】
シール部材４２の開口の、インク収納袋３の内部側の周縁には、弁４３がシール部材４２に当接した際に密着性を向上させるための構造として、該開口を取り囲むようにリップ状の突起が構成されている。
【００２７】
このようにシール部材４２の外周をスパウト４に密着させるとともに、弁４３をシール部材４２に付勢させることでインク収納袋ユニット７の内外の空間を遮断している。
【００２８】
スパウト４は剛性のある材料で構成されるが、弁４３およびシール部材４２は、例えばブチルゴム等のゴム材や、エラストマー等の熱可塑性樹脂材など柔軟性のある材料で構成されている。
【００２９】
攪拌部材５は、インク収納袋３内の沈降しやすいインク２を攪拌するためのものである。具体的には攪拌部材５は、一端がインク収納袋３の外部に延在し外部から攪拌操作を行なうための被操作部５１と、インク収納袋３の一辺の縁に溶着された攪拌部材溶着部５２と、被操作部５１の他端側でインク収納袋３の内部に配置されインクの攪拌を行なう攪拌部５３と、被操作部５１と攪拌部５３を接続し外部からの操作力を攪拌部５３に伝達する伝達部５４とから構成される。
【００３０】
攪拌部５３は、沈降したインクを効果的に攪拌するために、ある程度の面積を有する板状に形成されており、インクタンクの使用時の姿勢において沈降したインクが存在するインク収納袋３の底部近傍になるように配置されている。
【００３１】
伝達部５４は、攪拌部５３に対して横断面の面積が小さい棒状に形成される。これによって伝達部５４が弾性力を有して撓み、攪拌部５３の面全体をインク収納袋３の内面に押し付けることで効果的に攪拌を行なうことができる。すなわち、攪拌部５３の面全体をインク収納袋３の内面に向けて押し付ける過程で、攪拌部５３の面とインク収納袋３の内面の間のインクが押し退かされてインク流れが生じ、結果、周囲のインクが攪拌される。
【００３２】
次に、タンクケース６へのインク収納袋ユニット７の組み付けについて説明する。
【００３３】
タンクケース６は、インク収納袋ユニット７の対向する最大面より大きな面を対向して持つ偏平な平行六面体の箱形状となっており、インク収納袋ユニット７を収納する凹部を形成するインク収納袋収納部材６１と、該凹部の開口を塞ぐタンクカバー６２とから構成される。
【００３４】
インク収納袋収納部材６１には、インク収納袋ユニット７のスパウト４の突起部分をはめ込む固定部（不図示）が設けられており、スパウト４をはめ込むことでインク収納袋ユニット７をインク収納袋収納部材６１に固定することができる。
【００３５】
インク収納袋収納部材６１の凹部の側壁には、スパウト４に設けられたインク供給口４１と対応する位置に供給口用開口６３が設けられている。
【００３６】
インク収納袋収納部材６１の、供給口用開口６３が設けられた側壁には、タンクケース内側に向かってへこんだ凹み６４が形成されている。凹み６４の奥まった面６５には攪拌部材５の被操作部５１をタンクケース６の外部に突出させるための攪拌部材用開口６６が形成されている。タンクカバー６２には凹み６４の形状に合わせて切り欠き６７が形成されている。
【００３７】
インク収納袋収納部材６１の凹部にインク収納袋ユニット７を収納し、不図示の固定部によってスパウト４を固定した後に、タンクカバー６２によって、インク収納袋収納部材６１の凹部の開口を塞ぐ。
【００３８】
次に本実施形態の作用について説明する。
【００３９】
図３は、図２（ｃ）に示した断面図で見て、攪拌部材５を動作させたときの様子を（ａ）〜（ｈ）に順に示している。なお、図３中の攪拌部材５の被操作部５１付近に図示した矢印は被操作部５１の操作方向を示す。
【００４０】
被操作部５１がタンクケース６の外部から往復操作されると、攪拌部材５は、攪拌部材溶着部５２を支点にして、攪拌部５３が被操作部５１と逆位相に動作する。
【００４１】
まず、図３（ａ）の静止状態から不図示の攪拌機構によって、被操作部５１に対してタンクケース６の一方の最大面側（図面下方向）に操作力が加えられると、図３（ｂ）に示すように攪拌部５３は攪拌部材溶着部５２を支点にして、インク収納袋３の片面側（図面上方向）に向かって移動し、攪拌部５３の先端５３ａがインク収納袋３の内面に当接する。
【００４２】
さらに、同方向に操作力を加えると、図３（ｃ）に示すように伝達部５４が撓んで攪拌部５３の全面がインク収納袋３の内面に当接する。これによって、図３（ａ）で攪拌部５３とインク収納袋３の内面に挟まれた領域に存在していたインク２が、攪拌部５３の周囲に押し出されてインクの流れが発生し、インク収納袋内のインク２が攪拌される。図４には図３（ｃ）示した攪拌部材の状態であって、攪拌部５３によって攪拌されるインクの流れを矢印で示している。
【００４３】
続いて、被操作部５１に対してこれまでとは逆に、タンクケース６の他方の最大面側（図面上方向）に操作されると、図３（ｄ）、図３（ｅ）および図３（ｆ）に示すように攪拌部５３が攪拌部材溶着部５２を支点に、今度はインク収納袋３のもう片面側（図面下方向）に移動し、攪拌部５３の先端５３ａがインク収納袋３の内面に当接する。
【００４４】
このまま操作を続けると、図３（ｇ）に示すように、図３（ｃ）の状態とは逆の方向に伝達部５４が撓み、図３（ｃ）に示した当接面とは反対側に該当する攪拌部５３の全面がインク収納袋３の内面に当接する。このとき、攪拌部５３とインク収納袋３の内面に挟まれたインク２が、攪拌部５３の周囲に押し出されてインクの流れ（図４中の矢印と同様なインク流れ）が発生し、インク収納袋３内のインク２が攪拌される。
【００４５】
次に図３（ｈ）に示すように被操作部５１を、図３（ａ）に示した操作方向と同じ方向（図面下方向）に操作すると、攪拌部５３はインク収納袋内の中央（インク収納袋を構成するフィルム間の中間位置）に向けて移動し、図３（ａ）に示す位置に戻る。
【００４６】
以上述べたように図３（ａ）から図３（ｈ）の動作を繰り返すことで、インク収納袋３のインク２を攪拌することができる。
【００４７】
次に、インクが消費されたインクタンクでの攪拌部材の動作を説明する。
【００４８】
図５は満タン状態の１／２のインクが消費されたインクタンクを示す模式図で、図５の（ａ）〜（ｃ）は図１の（ａ）〜（ｃ）の各断面と同じ断面でのタンク内の様子を示している。特に図５の（ａ）はプリンタのインクタンク装着部にインクタンクが装着された姿勢でインクタンクを横側から見たときの断面を図示してある。図６は、図５（ｃ）に示した断面図で見て、攪拌部材５を動作させたときの様子を（ａ）〜（ｈ）に順に示している。なお、図６中の攪拌部材５の被操作部５１付近に図示した矢印は被操作部５１の操作方向を示す。
【００４９】
図５に示すように、インクタンク１のプリンタ装着姿勢においてインク収納袋３内のインク２を消費していきインク収納袋３が扁平に潰れると、タンクケース６の側壁とインク収納袋３との間に隙間ができる。
【００５０】
この状態で攪拌操作を行なうと、インク収納袋３は、インク収納袋３の内面に当接した攪拌部５３によって変形しながら攪拌部５３とともに移動し、タンクケース６の最大面積の側壁の内面に当接する（図６の（ａ）〜（ｃ）参照）。逆方向に操作すると、上記と同様にインク収納袋３は変形しながら攪拌部５３によってタンクケース６の最大面積の側壁の内面に当接する（図６の（ｄ）〜（ｇ）参照）。
【００５１】
インク収納袋３の、攪拌部材溶着部５２を配した辺と対向する辺はどれにも保持されていないため自由端である。そのため、攪拌部材５の動作でインク収納袋３は変形しながら攪拌部５３の移動に追従して移動することができる。つまり、インク供給部と攪拌部材とが互いに反対の位置に設けられている特許文献１の従来構造とは違って、攪拌部５３の移動を妨げられることが無く、インクを消費した状態でも攪拌が可能となる。
【００５２】
図７は図６の状態からさらにインクが消費されたインクタンクを示す模式図で、図７の（ａ）〜（ｃ）は図１の（ａ）〜（ｃ）の各断面と同じ断面でのタンク内の様子を示している。特に図７の（ａ）はプリンタのインクタンク装着部にインクタンクが装着された姿勢でインクタンクを横側から見たときの断面を図示してある。
【００５３】
インクタンク１のプリンタ装着姿勢において、図６に示したようなインク量からさらにインク２が消費されると（例えば満タン状態の１／４のインクが消費すると）、図７に示すように、インク収納袋３の上部が潰れてインク収納袋３の下方にしかインク２が存在しなくなる。
【００５４】
そして攪拌部材５はスパウト６２より下方のインクが存在する領域に配置されているため、この状態においても上述したのと同様に、インク収納袋３が変形しながら攪拌部５３とともに移動することができる。
【００５５】
したがって、図７（ｂ）に示したようにインク２の消費でインク収納袋３の上部が潰れた状態になってもインク２の攪拌が可能となる。
【００５６】
以上述べたように本実施形態によれば、インクの消費状態によらず沈降したインクを攪拌することができる。
【００５７】
さらに詳しく本実施形態の効果を説明する。
【００５８】
上述したように、スパウト４と攪拌部材５とをインク収納袋３の同じ辺縁に取り付けた構成を採用することで、インク収納袋３の、スパウト４と攪拌部材５を配置した側とは反対側が自由端となるため、攪拌部材５の動作に伴ってインク収納袋３を揺動することが可能になる。特にインク収納袋３内のインクが少なくなった場合、攪拌部材５による攪拌効果に加えて、インク収納袋３が動作することによる攪拌効果も期待できる。
【００５９】
また、スパウト４と攪拌部材５とをインク収納袋３の一つの辺縁に対して取り付けるので、同時取り付けが可能になり製造工程の簡略化が可能になる。また、スパウト４と攪拌部材５とをインク収納袋３の同じ辺縁に取り付けることで、インク収納袋３のフィルムに歪みが発生する個所を少なくでき、しわの発生を起因としたフィルム縁部の溶着不良によってインク漏れを起こす可能性を低減できる。
【００６０】
また、後述するようにインクタンク１をプリンタのタンクホルダーに装着する場合（図１０参照）、装着されたインクタンク１からプリンタ本体側のインクジェット記録ヘッドへインク供給を行うインク供給部の設置場所と同じように、攪拌部材５の駆動機構をタンクホルダーの奥側に配置することができ、プリンタの構成の小型化を可能にする。
【００６１】
次に、本実施形態のインクタンク１に対する好ましい構成を説明する。
【００６２】
代表して図２を参照すると、スパウト４および攪拌部材５がインク収納袋３に対してインク収納袋３の同一辺の縁に溶着されている。また、インク収納袋３を構成する２枚のフィルムの互いに溶着された周縁は剛性が高く変形しにくい。このようなインク収納袋３に溶着されたスパウト４は不図示の固定部でタンクケース６に固定されている。一方、攪拌部材５は変形しにくいインク収納袋３の辺縁に溶着されるもののタンクケース６には固定されておらず、被操作部５１がタンクケース６の外側へ開口５を通って延出している。
【００６３】
したがって、攪拌部材５に関しては攪拌部材溶着部５２を支点として被操作部５１と攪拌部５３が逆位相に移動可能である。厳密に言えば、攪拌部材５は、固定されたスパウト４のインク収納袋３との溶着部分（以下、スパウト溶着部と記す。）を支点に攪拌部材溶着部５２をねじりながら動作する。このとき、スパウト溶着部の位置が攪拌部材溶着部５２に近すぎると動作が妨げられる。そのため、スパウト溶着部と攪拌部材溶着部５２の間隔Ａは離したほうがよい。
【００６４】
また、他の構成として、図８に示すように、タンクケース６内に攪拌部材溶着部５２を保持するリブ６３、６４を設けることが好ましい。具体的には、インク収納袋３をタンクケース６内に収納した際攪拌部材溶着部５２を両側から挟み込んで保持できるように、タンクケース６１とタンクカバー６２にリブ６３およびリブ６４が設けられていると良い。この構成によれば、攪拌部材５の動作時に攪拌部材溶着部５２が位置ずれしにくい支点となるため、攪拌動作をより安定させることができる。
【００６５】
さらに、他の構成として、インク収納袋３の底面に対する攪拌部材５の位置Ｈに関しては、インクがインク収納袋３内に充填されている状態で攪拌部材５を操作したときに攪拌部５３がインク収納袋内面と当接できるようにインク収納袋３下部からある程度の距離Ｂ（図２参照）をおいた位置に配置することが望ましい。
【００６６】
この理由を説明すると、インク収納袋下部の溶着された辺縁部は溶着されていない部分と比べて剛性が高いため、攪拌部材５の移動に追従して変形しにくい。また、インクが充填された状態では、充填されたインク２によってインク収納袋３が膨らんでいるため、攪拌部材５に追従して変形する余裕がない。
【００６７】
攪拌部５３は沈降したインクを効果的に攪拌するために、プリンタでのインクタンク使用姿勢においてなるべくインク収納袋３の底部近傍に配置したほうが良い。しかし、代表して図２を参照すると、インク収納袋３に充填されたインク２によってインク収納袋３の外周縁から中央付近に向かって斜面部３ａが出来ている。このため、攪拌部５３をインク収納袋３の底部に近づけすぎると、攪拌部材５の動作の際に、攪拌部５３の下部がインク収納袋３の斜面部３ａに当ったところで移動できなくなる。その結果、攪拌部５３の全面とインク収納袋３の内面とが当接することによってインク２を周囲に押し出して大きな流れを作ること（図４中の矢印と同様のインク流れを作ること）ができなくなる。
【００６８】
したがって、攪拌部５３の全面がインク収納袋３の内面に当接できる範囲でインク収納袋３の底部に近づけて配置するのが望ましい。
【００６９】
但し、インク収納袋３が比較的小さい場合は、スパウト溶着部と攪拌部材溶着部５２の距離Ａを離しながら、攪拌部５３をインク収納袋３の底部からある程度の距離を置いて配置することが難しくなる。このような場合には、図９に示すように攪拌部材５の伝達部５４を屈曲して構成することで、それぞれの距離Ａ，Ｂを適正化し、インク消費状態によらず攪拌することが可能となる。
【００７０】
「インクタンク１の使用例」
図１０は上述した形態のインクタンク１を適用するプリンタの構成を示す模式図である。
【００７１】
プリンタは、インクジェット記録方式の記録ヘッドを着脱自在に搭載する不図示のキャリッジと、記録ヘッドから吐出されるインク滴によって画像が記録される記録シートを搬送する不図示の搬送手段とを備える。こうした構成に加えて、図１０に示されるプリンタ１００には、記録ヘッドによる画像記録領域に記録シートを送り込むためのシート搬入口１０１と、画像が記録された記録シートを排出するための排出口１０２とが設けられている。排出口１０２はプリンタの筐体正面に開口している。さらにプリンタ１００には、記録ヘッドに供給するインクを収納した本発明のインクタンク１が着脱自在に装着されるインクタンク装着部としてのタンクホルダー１０３が装備され、タンクホルダー１０３へのインクタンクの装着口１０３ａもプリンタの筐体正面に開口している。
【００７２】
タンクホルダー１０３は、インクタンク１が図１０に示した姿勢でプリンタ内に装着されることを可能する。よって、タンクホルダー１０３に装着されたインクタンク１は、インク供給口を開口したタンクケース６の側面やタンクケース６の最大面積の側面がプリンタ１０１の底面に対して略垂直である面と略平行に配される。さらにプリンタ１００は机上などの略水平面に置かれるため、インク供給口を開口したタンクケース６の側面やタンクケース６の最大面積の側面は重力方向に略平行に配されることになる。
【００７３】
また、タンクホルダー１０３の装着口１０３ａには、インクタンク１のインク供給口を形成するスパウト４および攪拌部材５の被操作部５１が配置されている側の面を先頭にしてインクタンク１が装着される。
【００７４】
タンクホルダー１０３の奥には、記録ヘッド内の液室と接続チューブを介して接続されたインク供給手段としての針状のインク供給管（不図示）が設置されており、インクタンク１の装着完了で該インク供給管がインクタンク１のスパウト４のインク供給口を介してインク収納袋３内に進入し、インク収納袋３内のインクが記録ヘッドへ供給可能になる。
【００７５】
タンクホルダー１０３の奥には、さらに、インクタンク１の攪拌部材５を駆動するための駆動機構１０４が設置されている。この攪拌部材駆動機構１０４の例を図１１，１２に基づいて説明する。
【００７６】
図１１は攪拌部材駆動機構１０４の構成を説明するための分解斜視図、図１２は白斑部材駆動機構１０４の動作を説明するための模式図である。
【００７７】
図１，２等に示されているようにタンクケース６の、インク供給口を開口した側面にはへこみ６４が設けられており、へこみ６４内には攪拌部材５の被操作部５１が突き出している。タンクホルダー１０３には、タンクホルダー１０３に装着されたインクタンク１のへこみ６４に対応して切り欠き１０３ｂが形成されている。複数個のインクタンク１をプリンタに装着できるように複数のタンクホルダー１０３は図１１に示すように並列に配設されており、全てのタンクホルダー１０３の切り欠き１０３ｂを通るように板状の駆動部材１０５が水平に配置されている。そして駆動部材１０５は、各タンクホルダー１０３の奥まで完全装着された各インクタンク１のへこみ６４内の被操作部５１に対して係合可能となっている。被操作部５１は棒状であるため、駆動部材１０５にはそれと嵌合する溝１０５ａが設けられている。
【００７８】
タンクホルダー１０３にインクタンク１が装着されると、インクタンク１における攪拌部材５の被操作部５１が駆動部材１０５の溝１０５ａに嵌合する。このため、駆動部材１０５をプリンタ設置面と略水平方向に往復駆動させることにより、被操作部５１も同様に駆動してインク収納袋３内に攪拌部５３でインク流れを発生させられる。
【００７９】
板状の駆動部材１０５を往復運動させる装置は公知のどのような構成でもよいが、一例として、図１１および図１２に示した例のように回転運動を往復直線運動に変換できる装置が挙げられる。これらの図では、駆動部材１０５を固定した固定板１０６があり、固定板１０６の端に矩形の開口１０６ａが設けられている。矩形の開口１０６ａにおける短手方向の両長辺と円形カム１０７の周面が摺接しており、円形カム１０７は歯車１０８の中心の回転軸１０８ａに偏心して取付けられている。歯車１０８はモータ１０９の回転軸と噛み合っている。このような構成によれば、図１２の（ａ）〜（ｄ）に示すように歯車１０８を時計回りにモータ１０９で回転させることで、固定板１０６と共に駆動部材１０５を略水平方向に往復駆動することができる。勿論、この構成は一例であり、これに本願発明は限定されない。
【符号の説明】
【００８０】
１    インクタンク
２    インク
３    インク収納袋
４    スパウト
５    攪拌部材
６    タンクケース
５１  被操作部
５２  攪拌部材溶着部
５３  攪拌部
【図１】
0005495942.tif 000002
【図２】
0005495942.tif 000003
【図３】
0005495942.tif 000004
【図４】
0005495942.tif 000005
【図５】
0005495942.tif 000006
【図６】
0005495942.tif 000007
【図７】
0005495942.tif 000008
【図８】
0005495942.tif 000009
【図９】
0005495942.tif 000010
【図１０】
0005495942.tif 000011
【図１１】
0005495942.tif 000012
【図１２】
0005495942.tif 000013